(57)【要約】      （修正有）【課題】通行人が回転ドア装置内でドアパネルと側壁にはさまれる人身事故がおきる事を防止する回転ドア装置を提供する。【解決手段】下記図で示すとおり４枚のドアパネルで作成された回転ドアと外壁に５００ｍｍの空間を作り空間をアルミサッシにはさまれた軟質シートに切り込みを入れ通行人が出入したときはさまれても軟質シートによって人身事故がおきないように配慮された回転ドア装置であり軟質シートに切り込みを入る事が特調として取り付ける事で安全尚かっ冷暖房空気調節ができ省エネルギーに役立つ手動押圧式の回転ドア装置。【選択図】図１
0003122788.tif 000002
【実用新案登録請求の範囲】
【請求項１】
新案の回転ドアは手動押圧式のドアであってドアと内壁とに人間がはさまれる事故を防止する目的の回転ドアです
【請求項２】
新案の手動押圧式のドアと壁面柱との間に空間を作る回転ドアです
【請求項３】
新案の回転ドアの側面と壁面柱に空間を利用して軟質シートを取り付ける回転ドアです
【請求項４】
新案の回転ドアは手動押圧式のドアなので回転は時計逆回りの回転ドアです
【請求項５】
新案の回転ドアは４枚の強化ガラスから形成されて上と下にはアルミサッシにて形成されている回転ドアです
【請求項６】
新案の回転ドアと壁面との空間にはアルミサッシにはさまれた軟質シートもしくはゴムなどで壁面と回転の空間を利用して軟質シートもしくはゴムには下から切りこみをアルミサッシ柱まで入れ側壁に取付ける回転ドア装置です
【請求項７】
新案の手動押圧式の回転ドアにおいて一番重要な事項は人身事故をおこさないとう事が大きな課題です新案の回転ドアは回転するドアと側壁にとり付けられた切り込み入りの軟質シート及ゴムなどで回転ドアと壁面柱に人身事故などがおきない回転ドアです
【請求項８】
新案の回転ドアと側壁より取り付けた軟質シート及ゴムにより室内外の空気調節が可能となりひかくてき容易な方法で省エネルギに役立っ尚かつ事故のおきない回転ドア装置です
【考案の詳細な説明】
【技術分野】
【０００１】本考案の回転ドアはビルデイングなどの建造物のエントランスに設置される回転ドア装置に関しさらに詳しくは回転ドアと側壁との間に通行人がはさまれる事故を防止する事ができる回転ドア装置に関する提供する事が目的の回転ドアです
【背景技術】
【０００２】回転ドア装置には通行人が出入しても内部えの
0003122788.tif 000003
があり又高層ビルで発生しやすいドラフト現象によって引き起こされるエントランスの開閉時に生じる突風や開閉トラブルを軽減する事ができると言う長所があるその為病院やオフイスやホテルデパート空港などの出入口に近年多く採用される事となって来た【０００３】しかし回転ドア装置内ではドアパネルが回転しているので通行人がドア装置内で動けなくなった場合や転んだ場合などには人身事故を発生させる可能性がありその為にそのような事故を防止して通行者の安全を確保する為いくつかの対策が講じられています【０００４】図１正面図からわかるように従来からの回転ドアとちがい３ａ，３ｂ、３ｃ、３ｄから形成される上下アルミサッシ取付の強化ガラス（１０ｍｍ）厚の回転ドアと外壁に空間を５００ｍｍを作成する事を特調とした回転ドアであります【０００５】図１正面図に示したごとく１ａ、２ｂの空間には冷暖房空気調節用の軟質シートを取り付けます【０００６】図１正面図に示したごとく外壁（１）と回転ドアとの空間には外壁（１）の場所にアルミサッシにはさんで厚さ１．５ｍｍ〜２ｍｍの軟質シートもしくはゴムシートを下方より３００ｍｍの間かくで切り込みを入れて外壁にアルミサッシに取り付けた軟質シートもしくは切り込み入りのゴムシールを取付ける事を特調とした事故防止軟質シートです【０００７】従来の回転ドア装置にはいくつかの安全対策が講じられているが今だに不十分な点があり通行者が事故に巻きこまれている現状で恐れが解消されていない【０００８】尚駆動装置については特許文献に開示されているのでここでは略する
（特許文献１）
特開２００３−２４７３７５号公報
（特許文献２）
特開平５１０８７３５号公報
（特許文献３）
特開平４−３７９１２公報
【考案の開示】
課題を解消する為の手段及効果
【０００９】本考案は上記問題を解消する為に通行人の安全第１と考え事故の発生を阻止する為の回転ドア装置を提供する事を目的としています
【００１０】上記目的を達成する為に本考案に関する回転ドア装置に空間５００ｍｍを作成しこの事によって人身事故の防止が容易にできる回転ドア装置です
【００１１】図面２に示したごとく正面図により軟質シートを取り付け下方向より３００ｍｍ〜４００ｍｍの間かくでアルミサッシ根本まで切り込みを入れる至って簡素な方法で安全なをかつ省エネルギに役立つ回転ドア装置と言える
【００１２】通行人が出入りする時においても回転ドアと壁面との空間を利用して作成された軟質シートの切込みによってドアと壁面にはさまれる人身事故がないような理想的な回転ドア装置である
【図面の簡単な説明】
【図１】正面からの外観図ですと共に上部からの断面図です
【図２】正面からの外観図と上部からの断面図で軟質シートが動く形態です（１ａと２ｂ）
【図３】上部からの半回転した時の断面図です
【図４】正面からの建造物との外観図です尚上部壁面には上下するシヤッタなど取付け可能です
【符号の説明】
１は壁面です、１ａと２ｂはアルミサッシにはさまれ壁面にとりつけられた軟質シートです
３ａ、３ｂ、３ｃ、３ｄは上下アルミサッシにささえられた強化ガラス製の回転ドアです
【図１】
0003122788.tif 000004
【図２】
0003122788.tif 000005
【図３】
0003122788.tif 000006
【図４】
0003122788.tif 000007
【手続補正書】
【提出日】平成17年10月13日(2005.10.13)
【手続補正１】
【補正対象書類名】実用新案登録請求の範囲
【補正対象項目名】全文
【補正方法】変更
【補正の内容】
【実用新案登録請求の範囲】
【請求項１】
手で押して回転させる複数ドア単体からなる回転ドアであって各々ドア単体の外壁と建物の入り口を構成する左右の２枚の仕切板のドア側端との間に空間を設けた事を特徴とした回転ドア装置
【請求項２】
上記空間を利用して壁に取り付けた軟質シートでしめられていることを特徴とする請求項１に記載の回転ドア装置。
「請求項１において」
（１）回転ドア本体とするドアパネルを支える中心柱はアルミ製のパイプによって形成された回転ドア装置。
（２）上記ドアパネル本体は中心柱に取り付けられた強化ガラスによって形成された回転ドア装置。
「請求項２において」
（１）上記空間を利用して回転ドアパネル側端と壁面に取り付けた切り込み入りの軟質シートによって形成された回転ドア装置。
【手続補正２】
【補正対象書類名】明細書
【補正対象項目名】全文
【補正方法】変更
【補正の内容】
【考案の詳細な説明】
【技術分野】
【００１】本考案はビルディングなどの建造物のエントランスに設置される回転ドア装置に関しさらに詳しくは回転するドアパネルと側壁との間で通行者が挟まれる事を防止する回転ドア装置。【００２】回転ドア装置には通行者が出入りしても内部への外気や埃の侵入を軽減できるという長所があり高層ビルで発生しやすいドラフト現象によって引き起こされるエントランスの開閉時に生じる突風や開閉トラブルを軽減することができるという特徴がある。そのためオフィスビル、ホテル、デパートなどの人の出入りの多い建物のエントランスのドア装置として近年広く採用されるようになってきた。【００３】しかし回転ドア装置内ではドアパネルが回転しているため通行者がドア装置内で急に動けなくなったり転んだ場合などには人身事故をおこす可能性がある。そのためそのような事故を防止し通行者の安全を確保するためのいくつかの対策が講じられている。【００４】図１正面図からわかるように従来の回転ドア装置と違いＡ板とＢ板とＣ板とＤ板から形成されるドアパネル強化ガラス厚さ１０ｍｍドアパネルの側端から６００ｍｍの空間を作成することを特徴とする回転ドア装置。【００５】図面１に示したごとくドア側端から壁との間に空間を設けその空間を利用して壁にＬ字型のアルミ製のアングルを両側に２個ずつ取り付ける。【００６】上記アングルはＬ字型アルミ２個でアングルの隙間を作りその隙間に冷暖房用に使用されている軟質シート３ｍｍ厚をはさみ込み壁に取り付ける。【００７】上記アングルにはさまれた軟質冷暖房用シートに下からシート側端からアルミ製のアングル取り付け根まで横に切り込みを入れる事を特徴とする回転ドア装置。【００８】従来の回転ドア装置にはいくつかの安全対策がなされいるが未だに不十分な点があり通行者が事故に巻き込まれているのが現状で事故が起きる事が解消されていない【００９】駆動装置については特許文献に開示されているのでここでは説明を省略する。
【特許文献１】特開２００３−２４７３７５号公報
【特許文献２】特開平６−１０８７３５号公報
【特許文献３】特開平４−３７９１２号公報
【課題を解決するための手段及び効果】
【０１０】本考案は上記課題に鑑みなされたものであって通行者が回転ドア装置を通る際にドアパネルと壁に挟まれるという事故の発生を阻止する事ができる回転ドア装置を提供できることを目的としている。
【０１１】上記目的を達成するため本考案に係る回転ドア装置は直径方向に設けられた出入り口を構成する一対の開口部に一定の空間を設けた事を特徴としている。
【０１２】上記回転ドア装置には空間部分を利用し切り込み入りの軟質シートを取り付ける事を特徴としている。
【０１３】上記回転ドア装置によれば回転方向は時計回りとは逆方向に回転し図１から説明するとＡのパネル板を手押ししてもし転んでもドア本体の側端から壁に対して設けられた空間利用の軟質切り込み入りシートが各々右方向に動く事を特徴とした回転ドア装置。
【０１４】上記回転ドア装置は出入り口に相対してドアパネルと壁との空間を利用して壁に２本のＬ字型アルミ製アングルで壁に相対して軟質切り込み入りのシートを取り付ける事を特徴とした回転ドア装置。
【０１５】上記回転ドア装置は建造物の内外の空気の通り抜けが起こらない。さらに回転ドア装置は通行者に対して危害が及ぶ恐れがないという長所がある。尚この回転ドア装置は比較的小型の回転ドア装置として特に好適である。
【０１６】本明細書でいう「所定の空間」とは通行者が回転ドア装置のパネル部と壁内面に挟まれるという事故を防止する事を目的としているので人間が入れる幅を意味している。一方所定の感覚が大きくなると回転ドア装置内で無駄なスペースが出来あえて６００ｍｍと定めた。
【考案を実施するための最良の形態】
【０１７】以下本考案の実施の形態に係る回転ドア装置を図面を参照して説明する。尚各図面において機能が共通する部材又部品には同じ符号を付す事にする。又前途の特許文献などで開示されている従来公知の駆動機構、構成部品を採用できるので本明細書では駆動機構の説明は省略する。【０１８】図１は本考案の実施の形態に係る回転ドア装置に係る外観図である図２は切断面による構造を示す断面図である。【０１９】図３は通行人が回転ドア装置内において転んだ時点で事故防止が出来る内容の外観図及び回転ドアパネルの動きと壁に取り付けた軟質パネルの動きを示した外観図である。【０２０】壁に取り付けた軟質シートの取り付け方法は図４にて示す。
【図面の簡単な説明】
【０２１】
【図１】は本考案の形態に係る回転ドア装置を示す外観図である。
【図２】は図１に示した切断面を説明したものである。
【図３】は通行人が建物に入る時の外観図である。
【図４】は事故防止を目的とした軟質シートの取り付け方法である。
【図５】は通行人が回転装置内で転んだ時のイラスト図である。
【符号の説明】
【０２２】ＡとＢとＣとＤは回転ドア本体パネル。
Ｅはパネルを支える支柱。
ＦとＧは建物の内壁。
ＨとＩはシートを挟み外壁に取り付けるためのＬ字型アルミ製アングル。
１〜５と６〜１０は切り込み入り軟質シート。
【手続補正３】
【補正対象書類名】図面
【補正対象項目名】全図
【補正方法】変更
【補正の内容】
【図１】
0003122788.tif 000008
【図２】
0003122788.tif 000009
【図３】
0003122788.tif 000010
【図４】
0003122788.tif 000011
【図５】
0003122788.tif 000012
【手続補正書】
【提出日】平成18年1月4日(2006.1.4)
【手続補正１】
【補正対象書類名】実用新案登録請求の範囲
【補正対象項目名】請求項２
【補正方法】変更
【補正の内容】
【請求項２】
上記空間を利用して仕切板の側端全面から延設された切り込み入りの軟質空間シート。
【手続補正書】
【提出日】平成18年3月8日(2006.3.8)
【手続補正１】
【補正対象書類名】実用新案登録請求の範囲
【補正対象項目名】請求項２
【補正方法】変更
【補正の内容】
【請求項２】
「前記空間を利用して仕切板の側端全面から延設された切り込み入りの軟質空間シートでしめられていることを特徴とする請求項１に記載の回転ドア装置。」